(57)【要約】【課題】幼児、老人及び手足の不自由な人等が単独又はその保護者等が簡易且つ極めて容易に着脱可能な衣料用ベルトを提供することである。【解決手段】短軸方向に分割されたベルト部からなる衣料用ベルトであって、バックルを備えたベルト部と、前記バックルを備えたベルト部以外の複数のベルト部と、前記各ベルト部を連結するための連結部とを備える構成を採用することによって、ベルトの着脱が極めて容易にできる衣料用ベルトを提供することを特徴とするものである。【選択図】図１
0003149476.tif 000002
【実用新案登録請求の範囲】
【請求項１】
短軸方向に分割されたベルト部からなる衣料用ベルトであって、
バックルを備えたベルト部と、
前記バックルを備えたベルト部以外の複数のベルト部と、
前記各ベルト部を連結するための連結部と
を備えたことを特徴とする衣料用ベルト。
【請求項２】
前記連結部は、前記各ベルト部と分離されているか又は、各ベルト部の末端部分として一体的に構成されていることを特徴とする請求項１に記載の衣料用ベルト。
【請求項３】
前記各ベルト部の末端部分に雄部又は雌部を設け、前記連結部に前記各ベルト部の末端部分に対応する部分に雌部又は雄部を設けて連結できるように構成したことを特徴とする請求項２に記載の衣料用ベルト。
【請求項４】
前記各ベルト部の末端部分にフック面又はループ面を設け、前記連結部に前記各ベルト部の末端部分に対応するループ面又はフック面を設けて連結できるように構成したことを特徴とする請求項２に記載の衣料用ベルト。
【請求項５】
前記連結部が、前記衣料用ベルト全長に対して、１／５〜１／２に形成されていることを特徴とする請求項１〜請求項４にいずれか１項に記載の衣料用ベルト。
【考案の詳細な説明】
【技術分野】
【０００１】
本発明は、衣料用ベルトに関する。さらに詳しくは、容易に脱着可能な衣料用ベルトに関する。
【背景技術】
【０００２】
ズボンやスカート等の衣服のずり落ちを防止するために、衣服の胴部あるいは腰部には衣料用ベルトが装着される。衣料用ベルトは、帯状のベルト本体部分と、該ベルト本体部分の一端部に連結されたバックルとから構成されている。
衣料用ベルトは、胴部や腰部の周りに沿って、いわゆるベルトループといわれる衣服に所定間隔で縫着されたベルト通しに、挿通され、胴部や腰部を全周に渡って巻き付けられ、前記ベルト部分の両端部を前記バックルにより互いに連結し、衣料用ベルトを胴部や腰部回りに固定するようになっている。
【０００３】
まず、衣料用ベルトを着用する場合、すなわち、衣料用ベルトを胴部や腰部に固定する際には、衣料用ベルトを胴部や腰部に巻きつけたときのベルト直径を任意に調整することにより、締める強さ、位置を変化させることができるものである。一般に、ベルト部分の両端部を前記バックルにより互いに連結するためには、ベルト直径を調節し、ベルト末端部の孔に、衣料用ベルトの環状バックルの短軸方向中心に存在するニードルを挿入する。これによって、衣料用ベルトを胴部や腰部に固定化する。一方、衣料用ベルトを脱着する場合、すなわち、胴部や腰部に固定された衣料用ベルトを開放するためには、衣料用ベルトの環状バックルの短軸方向中心に存在するニードルを指で固定して、さらに、本体一端部を引っ張ることにより、本体一端部に設けられた孔から固定化されたニードルを外し、前記ベルト部分の両端部を前記バックルから、互いに分離して、衣料用ベルトを胴部や腰部回りから外すようになっている。
【０００４】
しかしながら、また、幼児、年少者、老人あるいは手の不自由な人にとって、上記のようなバックル部分を使用した通常の衣料用ベルトを着脱する行為は、困難かつ面倒な作業であり、単独で行うことはできず場合によっては介添えを必要とするなどの問題点が生じていた。特に、幼児等は、その意思に反してベルトの着脱ができないため、必要な状況に応じてズボンやスカートを固定化し、必要に応じて脱ぐことができないという問題点がある。また、デザイン性を重視したバックルの場合、バックル自体が非常に大きい場合やその形状が複雑であるため着脱困難な場合がある。このため、幼児等が独りでも、あるいは母親等の保護者や介護者が簡易かつ容易にベルトの着脱ができる衣料用ベルトが望まれているところである。またバックルの形態によらず、簡易かつ容易にベルトの着脱ができる衣料用ベルトが望まれているところである。
【先行技術文献】
【特許文献】
【０００５】
【特許文献１】特開２００８−９５２４８
【特許文献２】特開２００７−８４９７６
【考案の概要】
【考案が解決しようとする課題】
【０００６】
以上のような状況に鑑み、本考案の課題は、幼児等が単独又はその保護者等が簡易且つ極めて容易に着脱可能な衣料用ベルトを提供することである。
【課題を解決するための手段】
【０００７】
本考案者等は、上記課題を解決すべく鋭意研究した結果、衣料用ベルトを短軸方向に分割し、バックルを備えたベルト部と、前記バックルを備えたベルト部以外の複数のベルト部と、前記各ベルト部を連結するための連結部とを備える構成を採用することによって、ベルトの脱着がきわめて容易にできる衣料用ベルトを提供することができることを見出し、本考案を完成するに至った。
【０００８】
本考案は、以下の技術的事項から構成される。すなわち、
（１）短軸方向に分割されたベルト部からなる衣料用ベルトであって、
バックルを備えたベルト部と、前記バックルを備えたベルト部以外の複数のベルト部と、前記各ベルト部を連結するための連結部とを備えたことを特徴とする衣料用ベルト。
（２）前記連結部は、前記各ベルト部と分離されているか又は、各ベルト部の末端部分として一体的に構成されていることを特徴とする（１）に記載の衣料用ベルト。
（３）前記各ベルト部の末端部分に雄部又は雌部を設け、前記連結部に前記各ベルト部の末端部分に対応する部分に雌部又は雄部を設けて連結できるように構成したことを特徴とする（２）に記載の衣料用ベルト。
（４）前記各ベルト部の末端部分にフック面又はループ面を設け、前記連結部に前記各ベルト部の末端部分に対応するループ面又はフック面を設けて連結できるように構成したことを特徴とする（２）に記載の衣料用ベルト。
（５）前記連結部が、前記衣料用ベルト全長に対して、１／５〜１／２に形成されていることを特徴とする（１）〜（４）にいずれかに記載の衣料用ベルトに関する。
【考案の効果】
【０００９】
本考案によれば、バックル部分の煩わしい着脱作業によらず、連結部における
簡単な操作のみにより、きわめて簡易かつ容易に衣料用ベルトの着脱が可能な衣料用ベルトを提供することができる。本考案の衣料用ベルトにより、保護者又は介護者が必要となる幼児等や老人又は手の不自由な方等であっても、衣料用ベルトの着脱が容易となり、単独で、簡易且つ容易にズボンやスカートの着脱が可能となる。また、デザイン性を重視したバックルであってもその形状によらず、容易に着脱が可能となる。同時に本考案の衣料用ベルトは、また、通常のベルトの外観を大きく損なうことなく、連結部の存在により斬新なデザインを提供することができる。
【図面の簡単な説明】
【００１０】
【図１】本考案の第１の実施の形態にかかる衣料用ベルトの正面図を示す。
【図２】本考案の第１の実施の形態にかかる衣料用ベルトの斜視図を示す。
【図３】本考案の第１の実施の形態にかかる衣料用ベルトの連結部の斜視図を示す。
【図４】本考案の第１の実施の形態にかかる衣料用ベルトの連結部の斜視図を示す。
【図５】本考案の第２の実施の形態にかかる衣料用ベルトの斜視図を示す。
【図６】本考案の第３の実施の形態にかかる衣料用ベルトの正面図を示す。
【考案を実施するための形態】
【００１１】
以下、本考案の実施の形態を図面に基づいて、詳細に説明する。
【００１２】
本考案の衣料用ベルトは、短軸方向に分割されたベルト部からなる衣料用ベルトであって、バックルを備えたベルト部と、前記バックルを備えたベルト部以外の複数のベルト部と、前記各ベルト部を連結するための連結部とを備えたことを特徴とするものである。
【００１３】
本考案の衣料用ベルトにおいて、ベルト部とは、衣料用ベルトを短軸方向に切断して分割したベルトの一部であり、切断の仕方は特に限定されるものではないが、長軸方向に垂直に切断してベルト部とすることは勿論、垂直に切断しないで斜めに切断して、台形の形状とすることもできるが、後述する連結部との関係から、垂直に切断して分割することが好ましい。さらに、分割して形成したベルト部の形状を、角を取って丸くすることや、菱型の形状とすることもできる。切断分割する単位としては、衣料用ベルトの用途やデザイン性により、特に制限されるものではないが、２〜４であり、好ましくは２である。分割の個数が４以上になると、多くの連結部が必要となり、かつ着脱が煩雑になり好ましくなく、一方２未満であると本件考案の課題が解決できないため好ましくない。切断分割する単位として、最も好ましくは２である。
【００１４】
衣料用ベルトを短軸方向に切断して分割したベルトの一部であり、その末端部分であって、バックルを備えた部分が、本件考案におけるバックルを備えたベルト部となる。上記分割の個数から勘案して、上記バックルを備えたベルト部は、衣料用ベルトの全長に対して１／４程度の長さを有することになる。
【００１５】
本考案においては、上記バックルを備えたベルト部と、それ以外のベルト部をベルト着装時には連結し、かつベルト脱着時には分離するための連結部を必要とする。連結部の形態は、上記の機能を有するものであれば特に制限されるものではないが、上記各ベルト部と完全に分離した形態であってもよいし、連結部の一端が、上記ベルト部の一端となり、一体的に構成された形態であってもよい。各ベルト部分と完全に分離した形態の場合を採用するか、連結部の一端が、上記ベルト部の一端となり、一体的に構成された形態を採用するかは、衣料ベルトの用途や衣料用ベルトのファッション性にもよるが、幼児等が独りでも、あるいは母親等の保護者や介護者が簡易かつ容易にベルトの着脱ができる衣料用ベルトとする場合には、ベルトを切断分割する単位を２とし、各ベルト部を連結分離する連結部を１つ設け、該連結部の一端がベルト部の一端となり、一体的に構成された形態とし、１箇所にてベルトの連結、分離を行うのが好ましい。このように、１箇所にて連結・分離を行うことによって、ベルトの脱着が可能となる。
【００１６】
また、ベルトを切断分割する単位を３とし、各ベルト部を連結分離する連結部を２つ設け、該連結部の一端がベルト部の一端となり、一体的に構成された形態とし、２箇所にてベルトの連結、分離を行うのが好ましい。このように、２箇所の連結部を設けて、双方の箇所を両わき腹部に設けて、いずれの側面からでも容易にベルトの連結・分離を行うことによって、ベルトの脱着が可能となる。
【００１７】
さらに、ベルトを切断分割する単位を４とし、各ベルト部を連結分離する連結部を３つ設け、該連結部の一端がベルト部の一端となり、一体的に構成された形態とし、３箇所にてベルトの連結、分離を行うこともできる。このように３箇所に連結部を設けた場合、双方の箇所を両わき腹部位に設けるのに加え、さらに背面部位に連結部を設け、母親等の保護者や介護者が簡易かつ容易にベルトの着脱ができる衣料用ベルトとすることができる。
【００１８】
なお、本考案においては、上記連結部を各ベルト部と分離した形態とすることもできる。この場合には、連結部を種々の形態とすることができる。種々の連結部の存在により、ファッション性に優れた衣料用ベルトとすることができる。連結部の形態としては、棒状形、円形、U字形、ひし形、稲妻形、星形等を採用することができる。図１、図２、図３及び図４には、連結部の形状として棒状形を採用した場合を示した。
【００１９】
連結部の位置は、前記衣料用ベルト全長に対して、１／５〜１／２のいずれかの位置に形成されているものである。使用者である幼児等の本人や母親や介護者が分離・脱着し易い位置に設けることが好ましい。例えば、前述したように、衣料用ベルトを身に着けている着装者の側面部や背面部位に設定することができる。
【００２０】
連結部は、各ベルト部を連結・分離できるためのあらゆる形態を採ることができる。例えば、図１に示したように、ベルト部の一端を連結部の一端とし、一体的に構成された連結部にボタンの雄部を設け、もう一方のベルト部と連結する箇所に雌部を設けることができる。図３及び図４には、連結部の斜視図を示した。また、連結部をベルト部と分離させ、別個独立とし、上記同様にボタン、面ファスナー、フォックを設けることができる。図５には、連結部を面ファスナーとした場合の形態を示した。
【実施例】
【００２１】
以下、本考案を図面に基づいて説明するが本考案は何らこれらに限定されるものではない。
【００２２】
（実施例１）
図１、図２、図３及び図４により、本考案の第１の実施の形態にかかるベルトの構造について説明する。ここで、図１は本考案にかかるベルトの正面図、図２は本考案にかかるベルトの斜視図、図３及び図４は本考案にかかるベルトの連結部の斜視図である。
【００２３】
本実施形態の場合、衣服用ベルト１は、ステンレスあるいはメッキを施された鉄及び合金等の金属を素材とするバックル２と、皮革、合成皮革あるいは布等を素材とするベルト部３、連結部４及びベルト部５とより成る。バックル２を備えたベルト部３は、ボタン６により連結部４と着脱できないように固定され、連結部４の一端は、連結部４に設けられているボタンの雄部７と、ベルト部５の末端部分に設けられているボタンの雌部８により着脱自在に固定できるように構成されている。なお、連結部４と、ベルト部３及びベルト部５は、ボタンで固定されているが、どちらか一方のボタンにおいて着脱自在に固定されていればよく、また、両方のボタンにおいて着脱自在に固定されていてもよい。
【００２４】
（実施例２）
次に、図５により、本考案の第２の実施の形態にかかるベルトの構造について説明する。ここで図５は、本考案にかかるベルトの斜視図である。
【００２５】
本実施形態の場合、ベルトの連結部は、ベルト部９とベルト部１０の末端部分として一体的に構成されている。ベルト部９の末端部分にフック面又はループ面を設け、ベルト部１０の末端部に、対応するループ面又はフック面を設けて、ベルト部９とベルト部１０を着脱自在に固定できるように構成されている。なお、ベルト部９及びベルト部１０の末端部にそれぞれボタンの雄部、雌部を設け、ベルト部９とベルト部１０を着脱自在に固定できるように構成されていてもよい。
【００２６】
（実施例３）
また、図６により、本考案の第３の実施の形態にかかるベルトの構造について説明する。ここで、図６は、本考案にかかるベルトの正面図である。
【００２７】
本実施形態の場合、衣服用ベルト１１は、バックル１２と、ベルト部１３、ベルト部１４、ベルト部１５、ベルト部１６、連結部１７、連結部１８、連結部１９とから成る。連結部１７の一端は、ボタン２０によりべルト部１３に着脱できないように固定され、連結部１７の他端は、連結部１７に設けられているボタンの雄部２１と、ベルト部１４の末端部分に設けられているボタンの雌部２２により着脱自在に固定出来るように構成されている。連結部１７と同様、連結部１８も、ボタンにより、ベルト部１４及びベルト部１５と固定されており、連結部１９も、ボタンにより、ベルト部１５及びベルト部１６と固定されている。なお、いずれかの連結部とベルト部の固定箇所において、１か所以上着脱自在に構成されていればよい。
【産業上の利用可能性】
【００２８】
本発明の衣料用ベルトは、幼児等が単独で、又はその保護者等が簡易且つ極めて容易に着脱可能な衣料用ベルトであり、日用品技術分野、特に被服分野の技術革新に大きく貢献することができる。
【符号の説明】
【００２９】
１、１１  ベルト
２、１２  バックル
３、５、９、１０、１３、１４、１５、１６  ベルト部
４、１７、１８、１９  連結部
６、２０  ボタン
７、２１  ボタン雌部
８、２２  ボタン雄部
【図１】
0003149476.tif 000003
【図２】
0003149476.tif 000004
【図３】
0003149476.tif 000005
【図４】
0003149476.tif 000006
【図５】
0003149476.tif 000007
【図６】
0003149476.tif 000008